(57)【要約】  本発明は、化粧用組成物（Ｃ）を塗布、除去又は分配するための表面（１７）を画定する化粧用物品（１）であって、横糸又は縦糸のないヤーンネットワーク（３０）を有する布地（１５）を含み、ネットワークは、１つ又は複数の穴（４０）を画定する、化粧用物品（１）に関する。
2021528146.tif 000002
【特許請求の範囲】
【請求項１】
化粧用組成物（Ｃ）を塗布、収集又は分配するための表面（１７）を画定する化粧用物品（１）であって、横糸又は縦糸のない糸のネットワーク（３０）を有する布地（１５）を含み、前記ネットワークは、１つ又は複数の透かし細工（４０）を画定するという事実によって特徴付けられる化粧用物品（１）。
【請求項２】
前記布地（１５）は、前記糸のネットワークによってつなげられている少なくとも２つの模様を含むという事実によって特徴付けられる、請求項１に記載の物品。
【請求項３】
前記布地（１５）は、１つ又は複数の糸を含むという事実によって特徴付けられる、請求項１又は２に記載の物品。
【請求項４】
前記布地（１５）は、レースを含むという事実によって特徴付けられる、請求項１〜３のいずれか一項に記載の物品。
【請求項５】
前記布地は、ポリアミド、エラステイン、ポリエステル、アクリル、ポリウレタン、ポリオレフィン、ビスコース、アセテート、絹又は綿の糸を含むという事実によって特徴付けられる、請求項１〜４のいずれか一項に記載の物品。
【請求項６】
前記布地（１５）は、少なくとも１つの弾性のある糸で作られており、少なくとも１つの方向における前記布地（１５）の伸長は、５％〜２００％に含まれるという事実によって特徴付けられる、請求項１〜５のいずれか一項に記載の物品。
【請求項７】
前記化粧用組成物（Ｃ）と接触するという事実によって特徴付けられる、請求項１〜６のいずれか一項に記載の物品。
【請求項８】
フレーム（４０）を含み、薄織物（１５）は、前記組成物（Ｃ）が特に前記組成物（Ｃ）に対する前記薄織物（１５）の圧力によって前記薄織物（１５）を通過し得るように、前記フレーム（４０）によって組成物（Ｃ）の保留分（１０）の上に保持される、特に伸ばされるという事実によって特徴付けられる、請求項７に記載の物品。
【請求項９】
前記化粧用組成物（Ｃ）は、吸収性支持体に含浸される、請求項７又は８に記載の物品。
【請求項１０】
前記化粧用組成物（Ｃ）を含有する区画を有する本体（３）を含むケース（２）を含み、前記布地（１５）は、前記化粧用組成物（Ｃ）の上に配置され、前記ケース（２）は、前記本体（３）と協働するように配置されたカバー（５）を含む、請求項１〜９のいずれか一項に記載の物品。
【請求項１１】
化粧用組成物（Ｃ）アプリケータを形成する、請求項１〜６のいずれか一項に記載の物品。
【発明の詳細な説明】
【技術分野】
【０００１】
本発明は、化粧品、より詳細には、限定するものではないが、化粧又はヒトの角質物質、特に皮膚のケアを意図された化粧用物品の分野に関する。
【背景技術】
【０００２】
「化粧用製品」は、化粧用製品に関する２００９年１１月３０日の欧州議会及び理事会の規制（ＥＣ）第１２２３／２００９号において定義された任意の製品を意味する。
【０００３】
化粧用組成物上にスクリーンを配置することは、既知である。いくつかの特許出願公報は、このタイプの化粧用物品を扱っている。
【０００４】
異なる塗布特性を有するいくつかの領域を備えたスクリーンは、既に提案されている。
【０００５】
特許文献１は、スロットと開口とを含むスクリーンを開示している。スクリーンは、ナイロン、ポリエステル、綿、絹、羊毛、アセテート、アクリル、金属、ポリエチレン、不織布、ポリプロピレン又はポリウレタンで作られ得る。
【０００６】
特許文献２は、ナイロン、ポリエステル、綿、絹、アセテート、アクリル、金属、ポリエチレン、不織布及びポリウレタンで作られた第１スクリーンと、弾性のある材料で作られた第２スクリーンとを含むダブルスクリーンを開示している。第２スクリーンは、第１スクリーン上に配置され、それは、第１スクリーンの開口に対するその開口の位置により化粧用製品の拡散を制御する。
【０００７】
異なる塗布特性を備えたいつかの領域を有する、拭き取りのための布も提案されている。
【０００８】
特許文献３は、皮膚洗浄又はケア物品であって、それらの表面上に浮き出し模様を含む皮膚洗浄又はケア物品を開示している。浮き出し模様は、０．２〜２．０ｍｍに含まれる高さＨの突出部を有する。これは、製品を受けることを意図された複数の空洞を画定する。物品は、綿繊維に基づき得る。これは、物品の表面に浮き出し模様を作り出すために、一緒に接合された吸収性繊維状材料の２つの外部層と、外部層間に配置された少なくとも一連の糸とを含む。
【０００９】
このタイプの物品に生じる問題は、全てが狭い空間にあり、且つ大規模な市場の要件に適合する製造コストによるとき、大量の組成物を保管し、且つそれを使用中に次第に及び可能な限り完全に元に戻すための能力、形状記憶から利益を得る必要性並びに様々な粘度の組成物を受ける能力など、様々なパラメータ間に見られる妥協である。
【００１０】
別の問題は、大きい収集表面にわたる化粧用製品の拡散を制御し、且つ異なる粘度の化粧用組成物の拡散を制御するための、化粧用製品の拡散の制御に関する。
【００１１】
さらに、皮膚がユーザにとって心地よい物品と接触した状態で組成物が収集されるか、分配されるか、又は施されることを可能にする化粧用物品を提供する必要がある。
【先行技術文献】
【特許文献】
【００１２】
【特許文献１】韓国特許第１０１３８０５８７号明細書
【特許文献２】国際公開第２０１６１４８３７１号パンフレット
【特許文献３】欧州特許第２０３９８１５号明細書
【発明の概要】
【発明が解決しようとする課題】
【００１３】
本発明は、化粧用組成物を含有するリザーバを含む化粧用物品をさらに改良することを目的とする。
【００１４】
本発明の別の目的は、アプリケータとしての役割を果たし得る化粧用物品を提案することでもある。
【課題を解決するための手段】
【００１５】
本発明は、したがって、第１態様によると、化粧用組成物を塗布、収集又は分配するための表面を画定する布地を含む化粧用物品であって、横糸又は縦糸のない糸のネットワークを有する布地を含み、ネットワークは、１つ又は複数の透かし細工を画定する、化粧用物品に関する。
【００１６】
透かし細工のため、布地は、化粧用組成物に対して少なくとも部分的に透過性である。
【００１７】
本発明は、異なる塗布特性を備えた２つの領域、すなわち化粧用製品が完全に通過することを可能にする透かし細工領域と、化粧用製品の通過を阻むか又はその拡散を制限する、開口のない領域とを有する布地を提供する。これは、心地よい感触を与え、且つ組成物の収集及び投与を円滑にする。実際、収集された製品は、指又はアプリケータ上に不均一に分配される。したがって、製品は、人により自然な外観を与えるために、処理又は化粧される身体領域上でより良好に広げられ得る。
【００１８】
さらに、ジュース（ｊｕｉｃｅ）とも呼ばれる組成物は、透かし細工領域に集積するため、表面で直接的に利用可能である。ジュースは、表面と同一平面である。これは、ジュースのより良好な分布を確実にする。特に液体組成物について、水たまりを形成せずにより広い含浸を得るために軽く押すのみで十分である。ジュースは、身体表面により一様に分配される。スクリーンと比べて、ジュースは、染み込まない。本発明において、物品は、表面リザーバ機能とジュース通過機能とを有する。
【００１９】
布地により画定された表面は、化粧用組成物が施されることを可能にする表面であるのみならず、代替的に収集又は分配されることを可能にする表面でもある。したがって、この表面は、塗布表面、収集表面又は分配表面として理解されるべきである。布地は、弾性的に変形可能であり得、これは、特定の形状記憶を維持しつつ、製品が収集されるときに容易に変形され得る。
【００２０】
布地は、好ましくは、非リバーシブルであり、すなわち布地の２つの側の一方のみ、すなわち布地の表面が塗布、収集又は分配表面を形成する。裏面は、表面とは区別され得る。
【００２１】
布地を構成する材料は、好ましくは、ユーザにとって特にやわらかい絹のような感触を塗布表面に与えるように選択される。特に、超極細繊維の存在は、この知覚的利点が得られることを可能にし得る。
【００２２】
布地を構成する材料は、有利には、布地に弾性を与えるように選択される。特に、エラステインの存在は、形状記憶により布地が即座にその初期形状に戻ることを可能にしつつ、特に組成物を収集するために、布地が押圧されたときの布地の変形を促す。
【００２３】
同様に組成物に対して透過性であり得る非透かし細工は、特に浮き彫りの領域の場合、特にアプリケータ又はユーザの指と接触する前記表面の部分を形成する。
【００２４】
物品が化粧用組成物と接触しているとき、これは、フレームを含むことができ、布地は、組成物が特に組成物に対する布地の圧力によって布地を通過し得るように、フレームによって組成物の保留分の上に保持され、任意選択的に伸ばされる。
【００２５】
代替的に、化粧用組成物は、吸収性支持体で含浸され得る。
【００２６】
物品は、化粧用組成物を含有する区画を有する本体を含むケースを含み得、布地は、化粧用組成物の上に配置され、ケースは、ケースの密封された閉鎖を可能にするために、本体と協働するように配置されたカバーを含む。
【００２７】
代替的に、化粧用物品は、化粧用組成物アプリケータを形成する。この場合、物品は、パッド又はパフを形成し得る。物品は、このとき、洗濯可能であり得る。代替的に、アプリケータは、把持部に取り付けられる。化粧用組成物は、液体又は粉末、好ましくは液体であり得る。
【００２８】
（主な定義）
「糸のネットワーク」は、メッシュ又は不要な糸で作られ得る。ネットワークのメッシュは、互いに同一であってもなくてもよい。それらの形状、それらの表面は、ネットワークにあり得る。
【００２９】
レースは、ギピュールであり得る。
【００３０】
「糸のネットワーク」は、レースの底部を形成し得る。
【００３１】
レースは、針、ボビン、かぎ針編み、手又は機械によって作られ得る。
【００３２】
布地を含む正中面において測定される透かし細工の表面積は、特に０．５ｍｍ２〜２ｃｍ２、好ましくは１ｍｍ２〜１ｃｍ２、より優先的には２ｍｍ２〜５ｍｍ２で様々であり得る。
【００３３】
布地を含む正中面において測定される模様の表面積は、特に１ｍｍ２〜３ｃｍ２、好ましくは２ｍｍ２〜２ｃｍ２、より優先的には５ｍｍ２〜１ｃｍ２で様々であり得る。
【００３４】
「横糸又は縦糸のないネットワーク」は、横糸となる糸又は縦糸となる糸がないネットワークである。
【００３５】
一般に、横糸は、幅方向に配置された糸である。その反対は、縦方向に延びる経糸である。布地を提供するのは、これらの２つの糸の交点である。
【００３６】
（好ましい実施形態）
好ましくは、本発明によるデバイスは、以下の特徴の１つ又は複数を単独で又は組み合わせて有する：
−  布地は、糸のネットワークによってつなげられている少なくとも２つの模様を有する。
−  布地は、１つ又は複数の糸を有する。布地の製造の方法及びレースのスタイルに依存して、１つ又は複数の糸が使用され得る。
−  布地は、レースを有する。
−  布地は、ポリアミド、エラステイン、ポリエステル、アクリル、ポリウレタン、ポリオレフィン、ビスコース、アセテート、絹又は綿糸からなる。
−  布地は、少なくとも１つの弾性のある糸で作られており、少なくとも１つの方向における布地の伸長は、１０％〜２００％に含まれる。物品は、最適な使用のために伸縮可能である。
−  塗布、収集又は分配するための表面は、その総表面に対して、その表面の２０％〜６０％、好ましくは３０％〜５０％が透かし細工によって形成される。化粧用製品の分布は、均衡が取れている。
−  布地には、横糸又は縦糸がない。化粧用組成物の通過は、布地の開口を通して、特にネットワークの透かし細工及び模様の任意の開口を通してより容易に行われる。
【００３７】
本発明の他の特徴及び利点は、以下の詳細な説明、本発明の実装形態の非限定的な例を読むこと及び添付図面の検討から明らかとなる。
【図面の簡単な説明】
【００３８】
【図１】第１布地で作られている、本発明によるケースの例の概略斜視図である。
【図２】本発明による物品の布地の第２例の塗布、収集又は分配表面の図である。
【図３】本発明による物品の布地の第３例の塗布、収集又は分配表面の図である。
【図４】図３の布地の概略的なＡＡ’断面図である。
【図５】図３の布地の概略的なＢＢ’断面図である。
【図６】本発明によるアプリケータの概略正面図である。
【発明を実施するための形態】
【００３９】
説明の残りの部分において、同一の要素又は同一の機能を備えた要素に同じ参照記号が付されている。本説明の簡潔さのために、それらは、図の各々に隣接して記載されず、実施形態間の違いのみが説明される。
【００４０】
図１は、本体３を有するケース２を含む、本発明による化粧用物品１を示す。ケース２は、本例では本体３に蝶番で連結されたカバー５も有する。カバー５は、本体３にねじで取り付けられるなど、別の方法で取り付けられ得る。
【００４１】
ケース２は、本例ではカバー５と本体３との間のヒンジの回転軸に垂直な回転軸の周りで本体３に蝶番で連結されたアプリケータ保持器６も収納する。アプリケータは、この図に示されていない。カップ４がケース２の本体３の区画８に収納される。カップ４は、化粧用組成物のリザーバを収納する。
【００４２】
本発明によると、リザーバには、本例では、透かし細工４０及び浮き彫り模様２０の境界を定めている糸のネットワーク３０を備えた弾性的に変形可能な布地１５が載っている。布地１５は、布地１５の表面を形成する組成物の塗布、収集又は分布のための表面１７を画定する。
【００４３】
この表面１７は、下にあるリザーバに含まれる化粧用組成物を塗布することを目的としている。布地１５は、組成物に対して透過性であり、それを構成する透かし細工を通した組成物の通過を可能にする。布地１５は、レースを形成する。
【００４４】
浮き出し模様２０は、本例では布地１５の全体にわたって分布する幾何学的模様を形成する。これは、そうではない可能性もある。
【００４５】
図２は、フランドル（Ｆｌａｎｄｒｅ）（登録商標）レースの第２例を示す。これは、「ファイブホールグランド（Ｆｉｖｅ−Ｈｏｌｅ  Ｇｒｏｕｎｄ）」と呼ばれるネットワーク１５又は横糸若しくは縦糸のない四角い布地を示す。これは、ハーフパスステッチとツイストステッチとの組合せで作業され、これは、透かし細工４０の境界を定めるネットワーク３０を形成する藤編み効果をもたらす。このレースでは、レース１５の総表面のおよそ４０％を花模様２０が占めている。模様は、小さい花弁６１、６２、大きい花弁６３、６４、６５、６６、茎及び葉からなる。これらは、布（マット）において実現化される。
【００４６】
図３は、布地１５の第３例を示す。これは、透かし細工糸のネットワーク３０により接続された花模様２０を表す、５５％のナイロン及び４５％の綿からなるレースである。本例において、ネットワーク３０及び模様２０には、横糸又は縦糸がない。
【００４７】
図４は、図３のレースが、その表面の断面ＡＡにおいて、
−  第１茎模様７１により形成された第１領域２１、
−  第１葉模様７２により形成された第２領域２２、
−  第２葉模様７３により形成された第３領域２３、
−  第１花模様７４により形成された第４領域２４、
−  第２茎模様７５により形成された第５領域２５
を有することを示す。
【００４８】
領域は、透かし細工４０を画定する糸のネットワーク３０により一緒に接続される。
【００４９】
図５は、図３のレースが、断面ＢＢでその表面において、
−  第２の花模様８６により形成された第１領域２６、
−  第３葉模様８７により形成された第２領域２７、
−  第４葉模様８８により形成された第３領域２８、
−  第３花模様８９により形成された第４領域２９
を有することを示す。
【００５０】
領域は、透かし細工４０を画定する糸のネットワーク３０により一緒に接続される。
【００５１】
例えば、図１において説明されている事例において、化粧用組成物は、布地の裏面に接触するように置かれ得る。
【００５２】
静止時、布地１５は、スクリーンとしての役割を果たし、化粧用組成物が出ることを防ぐ。加えて、模様２０間の領域は、数回の使用後、毛細管効果と組み合わされた布地の構造を原因として、化粧用組成物Ｃの集積区画９１、９２、９３、９４、９５、９６、９７を形成する。
【００５３】
他方では、模様２０は、これらの領域を構成するレースのポイントに依存して、組成物の通過を完全に又は部分的に塞ぎ得る。領域２１〜２９は、したがって、化粧用組成物の通過を完全に又は部分的に塞ぐ。
【００５４】
使用中、ユーザは、表面１７に圧力をかけ、２つの同時に起こる現象が生じる。一方では、ネットワーク３０の透かし細工が開き、上向きの矢印で示されたとおり、組成物Ｃのための通路を解放する。他方では、布地は、伸ばされ、区画９１〜９７の静止時に画定された容積を減らし、これらの区画に含まれる組成物を表面上に放出する。模様が組成物の通過を完全に塞ぐ場合、組成物は、区画９１〜９７によってのみ及びまた周辺領域によってのみ放出される。
【００５５】
図６の例において、薄織物１５は、見えない下にある構造に接着接合により取り付けられて、組成物が含浸されておらず、柄２９を含む化粧用組成物アプリケータを形成する。このアプリケータは、組成物を載せた表面又は製品ケーキから組成物を収集し、且つ手において保持されている間にそれを塗布するために使用されるか、又は代替的に他の方法で施された組成物をブレンドするために使用される。布地は、第３領域２８を有し得る。
【００５６】
本発明によると、用いることができる組成物は、ファンデーションである。
【００５７】
本発明によるファンデーションは、ジェル、クリーム、ミルク又はローションの中から好ましくは選択される。好ましくは、ファンデーションは、水性分散液、油性組成物又は多相組成物、例えば水中油型エマルジョン、油中水型エマルジョン、二相又は三相組成物のようなエマルジョンであり得る。本発明による好適なファンデーションは、当業者に既知であり、ファンデーション中に一般に存在する１つ又は複数の化合物を含み得る。特に、本発明によるファンデーションは、溶媒、特に皮膚又は他の角質組織と接触すると蒸発する揮発性溶媒、ワックス及び／又は樹脂、顔料、フィルム形成ポリマー、充填剤、有効成分、例えば保湿剤、ビタミン、ＵＶフィルタを含み得る。
【００５８】
高粘度組成物、例えば粘度が高いクリームについて、２５℃及び大気圧下で測定された粘度は、２００ｓ−１のせん断速度で４．５Ｐａ．ｓ以上及び５０Ｐａ．ｓ以下である（Ｎｏ．４スピンドルを備えたＢｒｏｏｋｆｉｅｌｄ  Ｒｈｅｏｍａｔ  ＲＭ  １８０粘度計を使用、測定は、回転速度及び粘度を安定させるためにスピンドルの回転の１０分後に実施される）。
【００５９】
本発明は、図示された例に限定されず、特に、図示された例の特徴は、互いに組み合わされ得る。
【符号の説明】
【００６０】
１  化粧用物品
２  ケース
３  本体
４  カップ
５  カバー
６  アプリケータ保持器
１０  保留分
１５  薄織物
【図１】
2021528146.tif 000003
【図２】
2021528146.tif 000004
【図３】
2021528146.tif 000005
【図４】
2021528146.tif 000006
【図５】
2021528146.tif 000007
【図６】
2021528146.tif 000008
【国際調査報告】
2021528146.tif 000009
2021528146.tif 000010
2021528146.tif 000011
2021528146.tif 000012